【手続補正書】
【提出日】平成18年12月6日(2006.12.6)
【手続補正１】
【補正対象書類名】明細書
【補正対象項目名】特許請求の範囲
【補正方法】変更
【補正の内容】
【特許請求の範囲】
【請求項１】
被写体像を撮像する撮像手段と、
前記撮像手段から得られた複数の画像信号から、前記被写体像の立体形状を推定する立体形状推定手段と、
前記立体形状推定手段で推定された立体形状情報に基づいて前記被写体像中の所定部位のプロファイル情報を作成するプロファイル情報作成手段と、
前記プロファイル情報作成手段で作成されたプロファイル情報を表示するプロファイル情報表示手段と、
前記プロファイル情報表示手段で表示されたプロファイル情報と前記撮像手段から取得された画像信号との対応関係情報を取得する対応関係情報取得手段と、
前記対応関係情報取得手段で取得された対応関係情報を表示する対応関係情報表示手段と、
を具備したことを特徴とする被写体計測表示装置。
【請求項２】
被写体像を撮像する撮像手段と、
前記撮像手段で取得された複数の画像信号から、前記被写体像の立体形状を推定する立体形状推定手段と、
前記立体形状推定手段で推定された立体形状情報に基づいて前記被写体像中の所定部位のプロファイル情報を作成するプロファイル情報作成手段と、
前記プロファイル情報作成手段で作成されたプロファイル情報を表示するプロファイル情報表示手段と、
前記プロファイル情報表示手段に表示されたプロファイル情報と前記撮像手段から取得された画像信号との対応関係情報を取得する対応関係情報取得手段と、
前記プロファイル情報作成手段で表示された前記プロファイル情報上で任意の位置を指定可能な指定手段と、
前記指定手段で指定された指定情報と前記対応関係情報取得手段で取得された対応関係情報とに基づき、前記指定手段で指定された第１の位置情報を前記画像信号中における第２の位置情報として取得する位置情報取得手段と、
前記位置情報取得手段で得られた第２の位置情報に基づき、前記画像信号に基づき表示される被写体像上に前記指定手段による指定位置情報を表示する指定位置情報表示手段と、
を具備したことを特徴とする被写体計測表示装置。
【請求項３】
前記撮像手段により撮像された画像を表示する手段と、
前記撮像手段により撮像された画像又は前記プロファイル情報を回転表示させる指示を出す回転指示手段と、
を具備したことを特徴とする請求項１又は２記載の被写体計測表示装置。
【請求項４】
前記撮像手段により撮像された一枚以上の画像を表示する手段と、
一枚以上の画像とプロファイル情報とを同期させてスクロールする手段と、
を具備したことを特徴とする請求項１又は２記載の被写体計測表示装置。
【請求項５】
前記撮像手段により撮像された二枚以上の画像を表示する手段と、
二枚以上の画像を同期してスクロールする手段と、
を具備したことを特徴とする請求項１又は２記載の被写体計測表示装置。
【請求項６】
前記立体形状推定手段による立体形状推定結果の信頼性を求める手段と、
信頼性の数値又は図形により表示する手段と、
を具備したことを特徴とする請求項１又は２記載の被写体計測表示装置。
【請求項７】
被写体像を撮像する撮像行程を具備した被写体計測表示方法において、
前記撮像行程で取得された複数の画像信号から、前記被写体像の立体形状を推定する立体形状推定行程と、
前記立体形状推定行程で推定された立体形状情報に基づいて前記被写体像中の所定部位のプロファイル情報を作成するプロファイル情報作成行程と、
前記プロファイル情報作成行程で作成されたプロファイル情報を表示するプロファイル情報表示行程と、
前記プロファイル情報表示行程で表示されたプロファイル情報と前記撮像行程で取得される画像信号との対応関係情報を取得する対応関係情報取得行程と、
前記対応関係情報取得行程で取得された対応関係情報を表示する対応関係情報表示行程と、
を具備したことを特徴とする被写体計測表示方法。
【請求項８】
被写体像を撮像する撮像行程を具備した被写体計測表示方法において、
前記撮像行程で取得された複数の画像信号から、前記被写体像の立体形状を推定する立体形状推定行程と、
前記立体形状推定行程で推定された立体形状情報に基づいて前記被写体像中の所定部位のプロファイル情報を作成するプロファイル情報作成行程と、
前記プロファイル情報作成行程で作成されたプロファイル情報を表示するプロファイル情報表示行程と、
前記プロファイル情報表示行程で表示されたプロファイル情報と前記撮像行程で取得された画像信号との対応関係情報を取得する対応関係情報取得行程と、
前記プロファイル情報表示行程で表示された前記プロファイル情報上で任意の位置を指定可能な指定行程と、
前記指定行程で指定された指定情報と前記対応関係情報取得行程で取得された対応関係情報とに基づき、前記指定行程で指定された第１の位置情報を前記画像信号中における第２の位置情報として取得する位置情報取得行程と、
前記位置情報取得行程で得られた第２の位置情報に基づき、前記画像信号に基づき表示される被写体像上に前記指定行程による指定位置情報を表示する指定位置情報表示行程と、
を具備したことを特徴とする被写体計測表示方法。
【手続補正２】
【補正対象書類名】明細書
【補正対象項目名】０００６
【補正方法】変更
【補正の内容】
【０００６】
【課題を解決するための手段】上記目的を達成するため、本発明による第１の被写体計測表示装置は、被写体像を撮像する撮像手段と、前記撮像手段から得られた複数の画像信号から、前記被写体像の立体形状を推定する立体形状推定手段と、前記立体形状推定手段で推定された立体形状情報に基づいて前記被写体像中の所定部位のプロファイル情報を作成するプロファイル情報作成手段と、前記プロファイル情報作成手段で作成されたプロファイル情報を表示するプロファイル情報表示手段と、前記プロファイル情報表示手段で表示されたプロファイル情報と前記撮像手段から取得された画像信号との対応関係情報を取得する対応関係情報取得手段と、前記対応関係情報取得手段で取得された対応関係情報を表示する対応関係情報表示手段とを具備したことを特徴とする。
第２の被写体計測表示装置は、被写体像を撮像する撮像手段と、前記撮像手段で取得された複数の画像信号から、前記被写体像の立体形状を推定する立体形状推定手段と、前記立体形状推定手段で推定された立体形状情報に基づいて前記被写体像中の所定部位のプロファイル情報を作成するプロファイル情報作成手段と、前記プロファイル情報作成手段で作成されたプロファイル情報を表示するプロファイル情報表示手段と、前記プロファイル情報表示手段に表示されたプロファイル情報と前記撮像手段から取得された画像信号との対応関係情報を取得する対応関係情報取得手段と、前記プロファイル情報作成手段で表示された前記プロファイル情報上で任意の位置を指定可能な指定手段と、前記指定手段で指定された指定情報と前記対応関係情報取得手段で取得された対応関係情報とに基づき、前記指定手段で指定された第１の位置情報を前記画像信号中における第２の位置情報として取得する位置情報取得手段と、前記位置情報取得手段で得られた第２の位置情報に基づき、前記画像信号に基づき表示される被写体像上に前記指定手段による指定位置情報を表示する指定位置情報表示手段とを具備したことを特徴とする。
【手続補正３】
【補正対象書類名】明細書
【補正対象項目名】０００７
【補正方法】変更
【補正の内容】
【０００７】
第１又は第２の被写体計測表示装置は、前記撮像手段により撮像された画像を表示する手段と、前記撮像手段により撮像された画像又は前記プロファイル情報を回転表示させる指示を出す回転指示手段とを具備したことを特徴とする。
第１又は第２の被写体計測表示装置は、前記撮像手段により撮像された一枚以上の画像を表示する手段と、一枚以上の画像とプロファイル情報とを同期させてスクロールする手段とを具備したことを特徴とする。
第１又は第２の被写体計測表示装置は、前記撮像手段により撮像された二枚以上の画像を表示する手段と、二枚以上の画像を同期してスクロールする手段とを具備したことを特徴とする。
第１又は第２記載の被写体計測表示装置は、前記立体形状推定手段による立体形状推定結果の信頼性を求める手段と、信頼性の数値又は図形により表示する手段とを具備したことを特徴とする。
【手続補正４】
【補正対象書類名】明細書
【補正対象項目名】０００８
【補正方法】変更
【補正の内容】
【０００８】
第１の被写体計測表示方法は、被写体像を撮像する撮像行程を具備した被写体計測表示方法において、前記撮像行程で取得された複数の画像信号から、前記被写体像の立体形状を推定する立体形状推定行程と、前記立体形状推定行程で推定された立体形状情報に基づいて前記被写体像中の所定部位のプロファイル情報を作成するプロファイル情報作成行程と、前記プロファイル情報作成行程で作成されたプロファイル情報を表示するプロファイル情報表示行程と、前記プロファイル情報表示行程で表示されたプロファイル情報と前記撮像行程で取得される画像信号との対応関係情報を取得する対応関係情報取得行程と、前記対応関係情報取得行程で取得された対応関係情報を表示する対応関係情報表示行程とを具備したことを特徴とする。
【手続補正５】
【補正対象書類名】明細書
【補正対象項目名】０００９
【補正方法】変更
【補正の内容】
【０００９】
第２の被写体計測表示方法は、被写体像を撮像する撮像行程を具備した被写体計測表示方法において、前記撮像行程で取得された複数の画像信号から、前記被写体像の立体形状を推定する立体形状推定行程と、前記立体形状推定行程で推定された立体形状情報に基づいて前記被写体像中の所定部位のプロファイル情報を作成するプロファイル情報作成行程と、前記プロファイル情報作成行程で作成されたプロファイル情報を表示するプロファイル情報表示行程と、前記プロファイル情報表示行程で表示されたプロファイル情報と前記撮像行程で取得された画像信号との対応関係情報を取得する対応関係情報取得行程と、前記プロファイル情報表示行程で表示された前記プロファイル情報上で任意の位置を指定可能な指定行程と、前記指定行程で指定された指定情報と前記対応関係情報取得行程で取得された対応関係情報とに基づき、前記指定行程で指定された第１の位置情報を前記画像信号中における第２の位置情報として取得する位置情報取得行程と、前記位置情報取得行程で得られた第２の位置情報に基づき、前記画像信号に基づき表示される被写体像上に前記指定行程による指定位置情報を表示する指定位置情報表示行程とを具備したことを特徴とする。